(57)【要約】      （修正有）【課題】導水路内の残水を効率的に排出し、ボウル部に筋状の水垢が付着しにくい防汚性に優れた水洗大便器を提供する。【解決手段】リム部に形成された２つのリム吐水口１７，１９から洗浄水をボウル部３に供給する水洗大便器において、リム導水路１３，１５の底面にどちらか一方のリム吐水口１９に下る傾斜を設けることで、傾斜の上側に設けられたリム吐水口１７からはリム導水路内に残った残水が排出されないようにし、傾斜の下側に位置するリム吐水口１９からは残水が排出されるが、リム導水路１５の底面に傾斜が設けられているので残水の排出が短時間のうちに完了する。【選択図】図３
2015134993.tif 000002
【特許請求の範囲】
【請求項１】
給水源から給水される洗浄水により便器本体のボウル部を洗浄し、
このボウル部内の溜水をトラップ排水路から排出する水洗大便器であって、
給水源から供給される洗浄水をボウル部に導くように形成された共通導水路と、
ボウル部後方で前記共通導水路から分岐し、ボウル部左側に流路が形成される第１リム導水路と、
ボウル部後方で前記共通導水路から分岐し、ボウル部右側に流路が形成される第２リム導水路と、
前記第１リム導水路の下流に設けられ、吐水方向が便器前方方向となるように形成された第１リム吐水口と、
前記第２リム導水路の下流に設けられ、吐水方向が便器左側面方向となるように形成された第２リム吐水口と、を有する水洗大便器において、
前記第１リム導水路の底面、及び、前記第２リム導水路の底面は、前記第１リム吐水口、若しくは、前記第２リム吐水口の何れか一方に向けて下る傾斜が設けられていることを特徴とする水洗大便器。
【請求項２】
前記第２リム吐水口は前記第１リム吐水口よりもボウル部後方側に形成され、
前記第１リム吐水口と溜水面とを直線で結んだ線と水平面の成す角度よりも、前記第２リム吐水口と溜水面とを直線で結んだ線と水平面の成す角度の方が大きい水洗大便器において、
前記第１リム導水路の底面、及び、前記第２リム導水路の底面は、前記第１リム吐水口から前記第２リム吐水口に向けて下る傾斜が設けられていることを特徴とする請求項１記載の水洗大便器。
【請求項３】
前記傾斜は、前記第２リム導水路の底面よりも前記第１リム導水路の底面の方が急であることを特徴とする請求項２記載の水洗大便器。
【発明の詳細な説明】
【技術分野】
【０００１】
本発明は水洗大便器に係り、特に旋回流を形成して洗浄及び汚物の排出を行う水洗大便器に関する。 
【背景技術】
【０００２】
従来の水洗大便器として、洗浄水をリム部に設けた二つの吐水口から吐水するものがある。このような水洗大便器においては、洗浄終了後にリム導水路内に残っている洗浄水が二つのリム吐水口の一方、もしくは両方から排出され、ボウル部に筋状の水垢が形成されやすいという課題があった。
【０００３】
リム導水路内の残水はリム吐水口から溜水面にかけて筋状の流路を形成する。この残水の排出に時間がかかると筋状流路が長時間にわたって形成されるため、ボウル部に筋状の水垢を発生させる原因になっていた。
【０００４】
特に、特許文献１に示されるような水洗大便器では、リム導水路内に洗浄水の一部が残留する構造となっている。このような水洗大便器では、洗浄終了後、リム導水路内を満たしていた洗浄水は両方のリム吐水口から排出され、徐々にリム導水路内の水位が下がっていき、リム吐水口の底部と等しくなると、残水の排出が止まる。しかし、実際には共通導水路の内面に残っている残水が洗浄水滞留部に少しずつ流れ込むため、リム導水路内の水位はリム吐水口の底部よりも僅かに高くなる。そのため、高くなった水位の分だけ残水が両方のリム吐水口から排出され、ボウル部に筋状の流路を長時間形成するので、ボウル部に水垢が付着しやすいという課題があった。
【先行技術文献】
【特許文献】
【０００５】
【特許文献１】特開２００９−２４３０５２号公報（第１８頁、第１−３図）
【発明の概要】
【発明が解決しようとする課題】
【０００６】
本発明は、上記問題を解決するためになされたもので、本発明の課題は、導水路内の残水を効率的に排出し、ボウル部に筋状の水垢が付着しにくい防汚性に優れた水洗大便器を提供することである。
【課題を解決するための手段】
【０００７】
上記目的を達成するために請求項１記載の発明によれば、給水源から給水される洗浄水により便器本体のボウル部を洗浄し、このボウル部内の溜水をトラップ排水路から排出する水洗大便器であって、給水源から供給される洗浄水をボウル部に導くように形成された共通導水路と、ボウル部後方で前記共通導水路から分岐し、ボウル部左側に流路が形成される第１リム導水路と、ボウル部後方で前記共通導水路から分岐し、ボウル部右側に流路が形成される第２リム導水路と、前記第１リム導水路の下流に設けられ、吐水方向が便器前方方向となるように形成された第１リム吐水口と、前記第２リム導水路の下流に設けられ、吐水方向が便器左側面方向となるように形成された第２リム吐水口と、を有する水洗大便器において、前記第１リム導水路の底面、及び、前記第２リム導水路の底面は、前記第１リム吐水口、若しくは、前記第２リム吐水口の何れか一方に向けて下る傾斜が設けられていることを特徴としている。
【０００８】
このように構成された本発明によれば、傾斜の上側に位置しているリム吐水口からは残水が排出されないので、水垢が発生しない。一方で、傾斜の下側に位置しているリム吐水口からリム導水路内の残水が排出されるが、リム導水路底面に傾斜が設けられているため、残水の排出は短時間で終了する。従って、ボウル部に筋状の流路が形成される時間が従来のものと比べて短くなり、水垢が発生しにくくなる。
【０００９】
また、請求項２記載の発明によれば、前記第２リム吐水口は前記第１リム吐水口よりもボウル部後方側に形成され、前記第１リム吐水口と溜水面とを直線で結んだ線と水平面の成す角度よりも、前記第２リム吐水口と溜水面とを直線で結んだ線と水平面の成す角度の方が大きい水洗大便器において、前記第１リム導水路の底面、及び、前記第２リム導水路の底面は、前記第１リム吐水口から前記第２リム吐水口に向けて下る傾斜が設けられていることを特徴としている。
【００１０】
このように構成された本発明によれば、ボウル部後方に形成された第２リム吐水口と連接するボウル部の傾斜が第１リム吐水口と連接するボウル部の傾斜よりも急になるので、リム吐水口より残水がボウル部に排出された際に、ボウル部の傾斜が急である方が残水は溜水面まで早く伝わり、残水の排出も短時間で終了する。
【００１１】
ボウル部に対して溜水面は後方側に形成されるので、リム吐水口と溜水面とを直線で結んだ線と水平面の成す角度は、リム吐水口がボウル部後方側に形成されているほど大きくなる。そして、ボウル部の傾斜はリム吐水口から溜水面へと下る滑らかな曲線によって構成されているので、ボウル部の傾斜はリム吐水口と溜水面とを結ぶ線の角度に従う。
【００１２】
第２リム吐水口は第１リム吐水口よりもボウル部後方側に形成されているので、第２リム吐水口と溜水面を結ぶ線の角度は第１リム吐水口と溜水面を結ぶ線の角度よりも大きくなり、第２リム吐水口から溜水面までのボウル部の傾斜は、第１リム吐水口から溜水面までのボウル部の傾斜よりも急になる。従って、第２リム吐水口から残水を排出することで、ボウル部に筋状の流路が形成される時間が短くなり、水垢が発生しにくくなる。
【００１３】
また、請求項３記載の発明によれば、前記傾斜は、前記第２リム導水路の底面よりも前記第１リム導水路の底面の方が急であることを特徴としている。
【００１４】
このように構成された本発明によれば、第１リム導水路の底面を急にすることで、第２リム吐水口から離れた位置にある第１リム導水路内の残水を速やかに第２リム導水路まで移動させることができ、残水の排出が短時間で終了する。
【発明の効果】
【００１５】
本発明によれば、導水路内の残水を効率的に排出し、ボウル部に筋状の水垢が付着しにくくなるという効果がある。
【図面の簡単な説明】
【００１６】
【図１】本発明の水洗大便器の斜視図である。
【図２】本発明の水洗大便器の縦断面図である。
【図３】図２のＤ−Ｄ線における断面図である。
【図４】リム導水路の斜視図である。
【図５】リム導水路の正面図である。
【図６】リム導水路底面の傾斜を表すグラフである。
【図７】図３のＥ−Ｅ線における断面図である。
【図８】図３のＦ−Ｆ線における断面図である。
【図９】図７のθ１と図８のθ２の比較図である。
【発明を実施するための形態】
【００１７】
以下、本発明の実施形態について図１から図９を参照して説明する。
【００１８】
図１から図３に示す水洗大便器は、表面に釉薬層が形成された陶器製であり、下部にスカート部１が形成され、上半部のうち前方にボウル部３が形成され、後方上部に共通導水路５、後方下部に排水路７がそれぞれ形成されている。また、図２は図１に示す水洗大便器の縦断面図であり、図３は図２のＤ−Ｄ線における水洗大便器の断面図である。
【００１９】
ボウル部３は椀状をなす汚物受け面９と、水洗大便器の上縁部を構成するリム１１の内側面１１ａを備える。汚物受け面９とリム１１の内側面１１ａはスムーズな曲面で連続しており、リム１１の内側面１１ａは内方に向かってある程度オーバーハングした形状になっている。リム１１の内側面１１ａと汚物受け面９との境界は、図２のＰ線であり、このＰ線を境にボウル部３の角度が変化していることがわかる。リム１１の内側面１１ａのオーバーハング形状により、洗浄時に第１リム吐水口１７、及び第２リム吐水口１９から吐水された洗浄水が外に飛び出すことがない。更に、水洗大便器を上から見たときに、死角となる箇所が無くなり、清掃の際には使い捨ての紙などを使用して簡単に内側面１１ａを拭き取る事ができる。
【００２０】
汚物受け面９の中央で溜水の水面下となる箇所には排水路７の入口７ａが開口し、この排水路入口７ａから上昇路７ｂが後方に伸び、この上昇路７ｂには下降路７ｃ（縦管）が連続し、下降路７ｃの下端は、ジョイント（図示せず）を介して排出管に接続されている。排水路７及び汚物受け面９には排出管からの空気を遮断するために封水が形成されるが、その溜水面Ｌの水位は図２に示すように上昇路７ｂの頂部と同じ高さになる。
また、汚物受け面９の溜水面Ｌよりも上の部分は、汚物受け面９の乾燥面９ａとなっている。
【００２１】
共通導水路５の後部天井面には貯水タンクまたは水道管に連結されたフラッシュバルブにつながる開口５ａが形成されている。共通導水路５はボウル部３の後部において、水洗大便器の左側に形成された第１リム導水路１３、及び右側に形成された第２リム導水路１５へと分岐している。
【００２２】
第１リム導水路１３はボウル部３の後部に沿って、リム１１の内部を通して第１リム吐水口１７へ洗浄水を供給するように形成されている。第１リム吐水口１７はボウル部３の左側面において、洗浄水を便器前方に向けて吐水するように開口している。第１リム吐水口１７からボウル部３に吐水された洗浄水は平面視において、反時計回りの旋回流を形成する。
【００２３】
第２リム導水路１５はボウル部３の後部に沿って、リム１１の内部に第２リム吐水口１９へ洗浄水を供給するように形成されている。また、第２リム吐水口１９は第１リム吐水口１７から吐水される反時計回りの旋回流の旋回方向と同一方向に洗浄水を供給するように、ボウル部３右後部において水洗大便器の左側に向いて開口している。そのため、第２リム導水路１５はその途中でＵターンしている。
【００２４】
図４は本実施形態における共通導水路５の斜視図であり、図５は図４の共通導水路５を水洗大便器正面より見た正面図である。また、図６は第１リム導水路１３の底面１３ａ及び第２リム導水路１５の底面１５ａの高さを表すグラフである。図６のグラフの縦軸は導水路底面の高さを表しており、横軸は導水路長を表している。図６では、導水路底面の傾斜を分かりやすくするために、横軸と縦軸の縮尺を変えたグラフとなっている。
【００２５】
共通導水路５は図３に示されるように、ボウル部３に沿って湾曲しているが、図６における距離はこの湾曲した導水路を一直線に伸ばした際の長さを、導水路の長さとしている。図６中のＡは図３のＡの位置、つまり第１リム吐水口１７の位置のリム導水路１３の底面１３ａの高さを表している。同様にして、図６中のＢ及びＣは図３中のＢ及びＣの位置におけるリム導水路底面の高さを表している。
【００２６】
図５及び図６から分かるように、第１リム導水路１３の底面１３ａ及び第２リム導水路１５の底面１５ａは第１リム吐水口１７から第２リム吐水口１９に向けて傾斜している。また第１リム導水路１３の底面１３ａの傾斜は第２リム導水路１５の底面１５ａの傾斜よりも勾配が大きくなっている。また、図３から分かるように第１リム吐水口１７は第２リム吐水口１９よりも前方側に形成されている。従って、Ａの位置からＢの位置までの導水路長は、Ｂ位置からＣの位置までの導水路長よりも長くなっている。
【００２７】
また、図２から分かるように、共通導水路５の底面５ｂは水洗大便器後端から前端に向けて傾斜しており、共通導水路５の底面５ｂ、第１リム導水路１３の底面１３ａ及び第２リム導水路１５の底面１５ａは滑らかに連接している。
【００２８】
続いて、第１リム吐水口１７、及び第２リム吐水口１９付近のボウル部３の傾斜について説明する。図３から分かるように、平面視においてボウル部３は卵形をしていて、かつ、溜水面がボウル部３の後方側に形成されているため、溜水面Ｌとリム１１の内側面１１ａとの間隔はボウル部３の後方側に行くほど狭くなっている。溜水面Ｌとリム１１は水平であり、リム１１の内側面１１ａと汚物受け面９の接続部も略水平である。加えて、ボウル部３は滑らかに下る曲面で構成されているため、溜水面Ｌがリム１１の内側面１１ａと接近しているほど、ボウル部３の傾斜は急になる。よって、第１リム吐水口１７よりもボウル部３の後方側に形成されている第２リム吐水口１９のほうがボウル部３の傾斜が急になる。
【００２９】
この第１リム吐水口１７及び第２リム吐水口１９のボウル部３の傾斜について、詳しく説明する。リム吐水口から筋状流路が形成される時、少量の水分がリム吐水口から排出され、重力によってボウル部３上を垂れるように溜水面Ｌまで到達する。従って、第１リム吐水口１７、又は第２リム吐水口１９から筋状流路が形成されるのは、図３のＥ−Ｅ線、もしくはＦ−Ｆ線の付近である。
【００３０】
図７は図３のＥ−Ｅ線における断面図であり、図８は図３のＦ−Ｆ線における断面図である。図７において、第１リム吐水口１７と溜水面とを直線で結んだ線と水平面の成す角をθ１としている。同様に、図８において、第２リム吐水口１９と溜水面とを直線で結んだ線と水平面の成す角をθ２としている。
【００３１】
このθ１及びθ２について、溜水面とボウル部３との交点を基点として比較すると図９のようになる。図９において、実線は第１リム吐水口１７と溜水面を結んだ直線及びそのボウル部３の断面を示しており、点線は第２リム吐水口１９と溜水面を結んだ直線及びそのボウル部３の断面を示している。図９より、第２リム吐水口１９と溜水面を結んだ線のほうが、第１リム吐水口１７のそれよりも角度が急になっており、またボウル部３の傾斜自体も急になっていることが分かる。
【００３２】
続いて、本実施例の水洗大便器における洗浄時の動作について説明する。利用者によって図示しないタンクなどの給水手段から便器洗浄のために給水が行われると、給水手段より洗浄水が共通導水路５の開口５ａに供給され、共通導水路５、第１リム導水路１３、及び第２リム導水路１５を通り、第１リム吐水口１７、及び第２リム吐水口１９から吐出される。第１リム吐水口１７、及び第２リム吐水口１９から吐水された洗浄水はボウル部３上に反時計回りの旋回流を形成しながら、排水路７を通って排出される。
【００３３】
洗浄水の供給が終了すると、導水路内を満たしていた洗浄水は第１リム吐水口１７、及び第２リム吐水口の両方から排出され、導水路内に残っている洗浄水の水位が下がっていく。水位が第１リム吐水口１７の底部よりも低くなると、第１リム吐水口１７からの洗浄水の排出は止まり、これ以降は第２リム吐水口１９のみから排出される。そして、第２リム吐水口１９から残りの洗浄水が排出されると、洗浄水の排出が完了する。
【００３４】
しかし、洗浄水の排出が完了した後も、実際には導水路内面に僅かな量の水が水滴や水膜等の残水として残っている。本実施例において、この導水路内面に残っている残水は、共通導水路５の底面５ｂ、第１リム導水路１３の底面１３ａ、及び第２リム導水路１５ａに傾斜が設けられているので、第２リム吐水口１９のみから排出される。このとき汚物受け面９の乾燥面９ａには、第２リム吐水口１９から溜水面Ｌまで筋状流路が形成される。導水路内面に残っている残水の排出が完了すると、乾燥面９ａに形成されていた筋状流路は消滅する。
【００３５】
本実施例においては、第１リム吐水口１７から第２リム吐水口１９へ下る傾斜を設けることで、第１リム吐水口１７からは残水が排出されないので、ボウル部３に筋状の水垢が付着しない。一方で、第２リム吐水口１９からは導水路内の残水が排出されるため、ボウル部３に筋状の流路が形成される。しかし、第１リム導水路１３の底面１３ａ及び第２リム導水路１５の底面１５ａに設けた傾斜によって、残水の排出は短時間のうちに完了するので、筋状の水垢の発生を抑制することができる。
【００３６】
さらに、第１リム導水路１３の底面１３ａの傾斜を第２リム導水路１５の底面１５ａの傾斜よりも大きくすることで、第２リム吐水口１９から離れた位置にある第１リム導水路１３内の残水を、より早く第２リム吐水口１９に向けて移動させることができ、残水の排出完了にかかる時間をより短くすることができる。よって、ボウル部３に筋状の流路が形成される時間が短くなるので、水垢の発生を抑制することができる。また、図６中のＡ及びＢの高低差は１ｍｍ〜５ｍｍの範囲であればよく、Ｂ及びＣの高低差も１ｍｍ〜５ｍｍの範囲であればよい。
【００３７】
また、本実施例では、第１リム吐水口１７よりもボウル部３の後方側に形成された、第２リム吐水口１９から残水を排出している。これは、溜水面Ｌがボウル部３の後方側に形成されているため、第１リム吐水口１７に連接するボウル部３の傾斜よりも、第２リム吐水口１９に連接するボウル部３の傾斜のほうが急になるためである。ボウル部３の傾斜が急である方が、ボウル部３上にある水分に働く重力の傾斜方向への成分が大きくなるので、ボウル部３に筋状流路が形成された際に、残水の排出完了にかかる時間を短くすることができる。
【００３８】
以上のように、本実施例の水洗大便器では第１リム吐水口１７からは残水が排出されないため、第１リム吐水口１７には筋状の水垢が形成されない。一方で、第２リム吐水口１９からは筋状の流路が形成されてしまうが、導水路底面に上記傾斜が設けられていることや、第２リム吐水口１９と連接するボウル面の傾斜が急であることにより、残水の排出は短時間で終了するので、水垢の発生を抑制することができる。
【００３９】
本実施例においては、リム導水路の底面に第１リム吐水口１７から第２リム吐水口１９へと下る傾斜を設けている。しかし、第１リム吐水口１７に連接するボウル面の傾斜が第２リム吐水口１９に連接するボウル面の傾斜よりも急である場合には、リム導水路の底面に第２リム吐水口１９から第１リム吐水口１７へと下る傾斜を設けてもよい。
【符号の説明】
【００４０】
１    …スカート部
３    …ボウル部
５    …共通導水路
５ａ  …共通導水路５の開口
７    …排水路
７ａ  …排水路７の入口
７ｂ  …上昇路
７ｃ  …下降路
９    …汚物受け面
９ａ  …汚物受け面９の乾燥面
１１  …リム
１１ａ…リム１１の内側面
１３  …第１リム導水路
１３ａ…第１リム導水路１３の底面
１５  …第２リム導水路
１５ａ…第２リム導水路１５の底面
１７  …第１リム吐水口
１９  …第２リム吐水口
Ｌ    …溜水面
【図１】
2015134993.tif 000003
【図２】
2015134993.tif 000004
【図３】
2015134993.tif 000005
【図４】
2015134993.tif 000006
【図５】
2015134993.tif 000007
【図６】
2015134993.tif 000008
【図７】
2015134993.tif 000009
【図８】
2015134993.tif 000010
【図９】
2015134993.tif 000011